(57)【特許請求の範囲】
【請求項１】
単写撮影または連写撮影のいずれかを行なうよう設定する設定手段と、
この設定手段にて連写撮影を行なうよう設定された場合、連続的に撮影された所定数の画像を一つの画面上に配列して表示する表示手段と、
第１の所定操作がなされた際、前記表示手段にて表示された前記所定数の画像のうち複数枚数の画像を連続的に記録するフラッシュメモリと、を具備し、
前記フラッシュメモリは、前記複数枚数の画像を一つのグループとして記録し、
第２の所定操作がなされた際、前記フラッシュメモリにて前記一つのグループとして記録された前記複数枚数の画像が一括して消去されることを特徴とするデジタルカメラ。
【請求項２】
単写撮影または連写撮影のいずれかを行なうよう設定する設定手段と、
この設定手段にて連写撮影を行なうよう設定された場合、連続的に撮影された所定数の画像を一つの画面上に配列して表示する表示手段と、
第１の所定操作がなされた際、前記表示手段にて表示された前記所定数の画像のうち複数枚数の画像を連続的に記録するとともに、前記複数枚数の画像を一つのグループとして記録するフラッシュメモリと、
前記フラッシュメモリにて前記一つのグループとして記録された前記複数枚数の画像を前記一つの画面上に配列して再生表示する再生手段と、を具備し、
第２の所定操作がなされた際、前記フラッシュメモリにて前記一つのグループとして記録された前記複数枚数の画像が一括して消去されることを特徴とするデジタルカメラ。
【請求項３】
前記グループの中のいずれか一つの画像が消去されることで前記グループの中の全ての画像が消去されることを特徴とする請求項１または２に記載のデジタルカメラ。
【発明の詳細な説明】
【０００１】
【発明の属する技術分野】
本発明は、連写撮影を行なうデジタルカメラに関する。
【０００２】
【従来の技術】
最近、レンズで捉えた光学的な静止画像をＣＣＤにより電気信号に変換し、これを半導体メモリやフロッピディスクなどの記録媒体に記録するデジタルカメラが実用化されている。
【０００３】
この種のデジタルカメラの撮影モードには単写撮影モードと連写撮影モードがあり、撮影者はこれらのモードを自在に切替えて設定できる。従来のデジタルカメラでは、前記した二つのモードのいずれかが設定されている場合、捉えられた画像がビデオスルーとしてＬＣＤ（液晶表示器）からなるビューファインダに表示される。
【０００４】
そして単写撮影モードが設定されている場合、撮影者がシャッターを押した瞬間に前記ＬＣＤに表示されている一枚の画像が所定の記憶媒体に記憶される。また、連写撮影モードが設定されている場合、撮影者がシャッターを押し続けている間、例えば１秒当り数枚の画像が前記記憶媒体に記憶される。
【０００５】
【発明が解決しようとする課題】
従来のデジタルカメラは、上述したように連写撮影モードにて撮影を行なう場合、連写撮影を行なう間中シャッターを押し続けなければならない。このため、連写撮影モードで撮影を行なう場合、単写撮影モードの場合のように直ぐに撮影動作が終了しない。また、二つのモードの操作性が異なるため、撮影者にとって操作が煩わしいものになる。
【０００６】
また、記録した画像を確認するためには、記録した画像を再生してみなければならず非常に煩雑な操作が必要となる。さらに、連続撮影した画像の中には不要な画像が入っている時があるが、この不要な画像を整理するためには、撮影した画像を後で編集して不要な画像を消去しなければならないため、非常に煩わしいものとなるという問題がある。
本発明の目的は、記録する画像が容易に確認できるように連続撮影を行なうデジタルカメラを提供することにある。
【０００７】
【課題を解決するための手段】
上記課題を解決し目的を達成するために、本発明のデジタルカメラは以下の如く構成されている。
（１）本発明のデジタルカメラは、単写撮影または連写撮影のいずれかを行なうよう設定する設定手段と、この設定手段にて連写撮影を行なうよう設定された場合、連続的に撮影された所定数の画像を一つの画面上に配列して表示する表示手段と、第１の所定操作がなされた際、前記表示手段にて表示された前記所定数の画像のうち複数枚数の画像を連続的に記録するフラッシュメモリと、から構成され、前記フラッシュメモリは、前記複数枚数の画像を一つのグループとして記録し、第２の所定操作がなされた際、前記フラッシュメモリにて前記一つのグループとして記録された前記複数枚数の画像が一括して消去される。
（２）本発明のデジタルカメラは、単写撮影または連写撮影のいずれかを行なうよう設定する設定手段と、この設定手段にて連写撮影を行なうよう設定された場合、連続的に撮影された所定数の画像を一つの画面上に配列して表示する表示手段と、第１の所定操作がなされた際、前記表示手段にて表示された前記所定数の画像のうち複数枚数の画像を連続的に記録するとともに、前記複数枚数の画像を一つのグループとして記録するフラッシュメモリと、前記フラッシュメモリにて前記一つのグループとして記録された前記複数枚数の画像を前記一つの画面上に配列して再生表示する再生手段と、から構成され、第２の所定操作がなされた際、前記フラッシュメモリにて前記一つのグループとして記録された前記複数枚数の画像が一括して消去される。
（３）本発明のデジタルカメラは上記（１）または（２）に記載のカメラであり、かつ前記グループの中のいずれか一つの画像が消去されることで前記グループの中の全ての画像が消去される。
【０００８】
上記手段を講じた結果、それぞれ次のような作用が生じる。
（１）本発明のデジタルカメラは、単写撮影または連写撮影のいずれかを行なうよう設定し、連写撮影を行なうよう設定された場合、連続的に撮影された所定数の画像を一つの画面上に配列して表示し、所定操作がなされた際、前記所定数の画像のうち複数枚数の画像を連続的に記録するので、撮影者は連写撮影にて連続的に撮影された複数の画像を画面上で一度に見ることができるとともに、それらの画像を一つの操作すなわち一回シャッターを押すことのみで瞬時に記録することが可能になる。
（２）本発明のデジタルカメラは、前記複数枚数の画像を一つのグループとして記録するので、連写撮影を行なう度に複数の画像をグループに分けて記録することができ、それらグループ毎の一括した処理が可能になる。
（３）本発明のデジタルカメラは、前記一つのグループとして記録された前記複数枚数の画像を前記一つの画面上に配列して再生表示するので、撮影者は連写撮影にて連続的に撮影され記憶された複数の画像を画面上で一度に見ることができ、連写された画像の流れを知ることができる。
（４）本発明のデジタルカメラは、第２の所定操作がなされた際、前記一つのグループとして記録された前記複数枚数の画像を一括して消去するので、一回の連写撮影で記録された複数の画像を一回の消去操作で全て消去することができる。よって、前記複数の画像を消去するために各画像毎の消去動作を繰り返す必要がなくなる。
【０００９】
【発明の実施の形態】
（第１の実施の形態）
図１は、本発明の第１の実施の形態に係るデジタルカメラの構成を示すブロック図である。図１においてＣＣＤ１は、図示しないレンズを介して結像した静止画像を電気信号に変換する。このＣＣＤ１からの電気信号はバッファ２に与えられ、バッファ２にて所定レベルに増幅された後、Ａ／Ｄ変換部３へ供給される。Ａ／Ｄ変換部３は、静止画像信号をデジタルデータ（以下、画像データと称する）に変換するもので、この画像データをＴＧ（Ｔｉｍｉｎｇ  Ｇｅｎｅｒａｔｅｒ）４に供給する。
【００１０】
ＴＧ４は、ＣＣＤ１を駆動する駆動回路５を制御するためのタイミング信号を生成するもので、このタイミング信号を駆動回路５に供給するとともに、このタイミング信号にしたがって画像データを取り込む。ＴＧ４には、ＤＲＡＭ（ダイナミックメモリ）６、圧縮／伸長部７およびフラッシュメモリ（画像メモリ）８が接続されている。
【００１１】
ＤＲＡＭ６は、ＴＧ４のタイミング信号にしたがって取り込まれる画像データを一時記憶する記憶媒体である。また、ＤＲＡＭ６では、後述するＣＰＵ９の制御により画像データが１画面分の撮影が終了した時点で読み出され、輝度信号と色信号とを分離する色演算処理が施される。
【００１２】
圧縮／伸長部７は、色演算処理により分離された輝度信号と色信号を、例えばＪＰＥＧ（Ｊｏｉｎｔ  Ｐｈｏｔｏｇｒａｐｈｉｃ  Ｃｏｄｉｎｇ  Ｅｘｐｅｒｔｓ  Ｇｒｏｕｐ）方式などの圧縮方式により圧縮する一方、圧縮された圧縮画像データを伸長する処理を施す。
【００１３】
そしてフラッシュメモリ８は、圧縮された画像データ（輝度信号と色信号）を格納するものである。このフラッシュメモリ８は、その記憶エリアが複数のブロックに分割され、各ブロック単位で画像データなどを記憶する。
【００１４】
一方、ＣＰＵ９には、上述したＴＧ４、ＤＲＡＭ６、圧縮／伸長部７、フラッシュメモリ８の他に、キー入力部１０、ＲＯＭ１１、ＲＡＭ１２及びＳＧ（Ｓｉｇｎａｌ  Ｇｅｎｅｒａｔｅｒ：ビデオ信号発生器）１３が接続されている。
【００１５】
ＣＰＵ９は、ＲＯＭ１１内の制御プログラム及びキー入力部１０のスイッチの状態にしたがって、各部の動作を制御する。ＲＡＭ１２は、ＣＰＵ９のワーキングエリアとして用いられる。キー入力部１０は、動作モード（映像取り込みキーや再生モードキー）や各種設定値を設定するスイッチなどから構成される。このキー入力部１０での状態はＣＰＵ９に取り込まれ、ＣＰＵ９はキー入力部１０からの入力に基づいて動作する。
【００１６】
ＳＧ１３は、圧縮／伸長部７により伸長された輝度信号に色信号を重畳し、同期信号を付加してデジタルビデオ信号を作成する。ＳＧ１３には、ＶＲＡＭ（ビデオＲＡＭ）１４及びＤ／Ａ変換器１５が接続され、Ｄ／Ａ変換器１５にバッファ１６を介して出力端子（ＶＩＤＥＯ  ＯＵＴ）１７及びビューファインダーを構成するＬＣＤ（液晶表示器）１８が接続されている。
【００１７】
ＶＲＡＭ１４は、デジタルビデオ信号を一時記憶する記憶媒体である。また、Ｄ／Ａ変換器１５は、ＳＧ１３が出力するデジタルビデオ信号をアナログ信号  （以下、アナログビデオ信号と称する）に変換し、バッファ１６を介して出力端子１７から出力するとともに、ＬＣＤ１８に供給する。ＬＣＤ１８は、バッファ１６を介して供給されるアナログビデオ信号にしたがって液晶を駆動し映像を表示する。
【００１８】
ＣＰＵ９には、Ｉ／Ｏポート１９を介してシリアルＩ／Ｏ２０が接続されている。このＩ／Ｏポート１９は、シリアル信号に変換された画像データを入出力するインタフェースとして機能する。シリアルＩ／Ｏ２０は、ＣＰＵ９でシリアル信号に変換されたデジタルデータをパソコンや他のデジタルカメラ等の外部機器へ出力するとともに、前記外部機器からデジタルデータを入力するインタフェースとして機能する。
【００１９】
図２および図３は、以上のように構成されたデジタルカメラの記録動作手順を示すフローチャートである。以下、図２および図３を基に当該デジタルカメラの記録動作手順を述べる。当該デジタルカメラには、単写撮影モードと連写撮影モードの二つの設定モードがある。これら二つの設定モードは、キー入力部１０における図示しない撮影モード切換えキーを操作することで、切替えることができる。
【００２０】
まずステップＳ１で、単写撮影モードが設定されているときは、ステップＳ２で、ＬＣＤ１８に通常のビデオスルー画像が１面のみ表示される。この状態においてステップＳ３で、撮影者が図示しないシャッターを押すと、ステップＳ４で、そのシャッターが押された瞬間にＬＣＤ１８に表示されている１枚の画像が圧縮され、フラッシュメモリ８に記録される。
【００２１】
上記ステップＳ３で、撮影者が前記シャッターを押さず、ステップＳ５で撮影モード切替えキーがＯＮにされた場合、ステップＳ６で連写撮影モードが設定される。また上記ステップＳ１で、連写撮影モードが設定されているときは、ステップＳ７で、以下のようにＬＣＤ１８にビデオスルー画像が９面マルチ表示される。
【００２２】
図４は、連写撮影モード時のＬＣＤ１８による表示画面を示す図である。撮影者がキー入力部１０における前記撮影モード切換えキーで単写撮影モードから連写撮影モードに切替えると、ＬＣＤ１８に表示されるビデオスルー画像は１面表示から９面マルチ表示に切替わる。その際、画面の左上から右下に向かって画像がリフレッシュされた後、図４に示すように、９面のビデオスルー画像が画面の左上から右下に向かって連続的に表示される。図４に示すマルチ表示では、人物が路上を遠方から近方へ走行してくる様子がビデオスルー画像で表されている。なお、このときＤＲＡＭ６には上記表示されている９面の画像が順次記憶されている。
【００２３】
この状態においてステップＳ８で、撮影者が前記シャッターを押すと、ステップＳ９で、そのシャッターが押された瞬間に、図４の如き画面の左上から右下に向かって連続的に表示された９枚（あるいは、ｉ枚：ｉ＝２，３…）に対応するＤＲＡＭ６内の９枚の画像が、フラッシュメモリ８に記録される。なお、フラッシュメモリ８に記録される画像は表示された全ての画像すなわち９枚の画像でなく、奇数枚目の計５枚の画像であるように、あるいは最初の１枚と最後の１枚を除いた計７枚の画像であるように等、予めキー入力部１０にて任意に設定することもできる。この記録の際、フラッシュメモリ８に各画像データが圧縮されて記録されるとともに、フラッシュメモリ８に各画像データに関する以下のような画像情報が記録される。
【００２４】
図５は、フラッシュメモリ８のヘッダ部の構成を示す図である。このヘッダ部には、１枚目からｍ枚目までの画像情報が記録されている。各画像情報は、“画像データアドレス”、“撮影モード情報”、“グループネーム”、“連写ナンバー”からなる。“画像データアドレス”は、その画像データが記録されているフラッシュメモリ８上のアドレスを示す。
【００２５】
“撮影モード情報”は、記録された画像が単写撮影モードにて撮影されたものかあるいは連写撮影モードで撮影されたものかを示す情報であり、「０」は単写撮影モードで撮影された画像であることを示し、「１」は連写撮影モードで撮影された画像であることを示す。
【００２６】
“グループネーム”は、連写撮影モードの場合、記録された９枚の画像がどの画像グループに属するかを判別可能にするための情報である。連写撮影モードの場合、１回の連写撮影で記録される九つの画像データは一つの画像グループに属することになる。ここで、「０」は単写撮影モードで撮影された画像であることを示し、「１」〜「ｎ」は連写撮影モードで撮影された画像であり、かつそれぞれ１番目〜ｎ番目の画像グループであることを示す。
【００２７】
“連写ナンバー”は、“グループネーム”とその画像が連写画像の中の何番目の画像なのかを示す情報であり、「０」は単写撮影モードで撮影された画像情報であることを示し、「１」〜「９（ｉ）」は連写撮影モードで撮影された画像であり、かつそれぞれ連写撮影により１番目〜９（ｉ）番目に撮影された画像であることを示す。
【００２８】
上記ステップＳ８で、撮影者が前記シャッターを押さず、ステップＳ１０で撮影モード切替えキーがＯＮにされた場合、ステップＳ１１で連写撮影モードから単写撮影モードに切替えられる。
【００２９】
図６は、上記デジタルカメラの再生動作手順を示すフローチャートである。以下、図６を基に当該デジタルカメラの再生動作手順を述べる。まずステップＳ２１で、撮影者がキー入力部１０における図示しない＋キーまたは−キーを押した場合、＋キーであれば、ステップＳ２２でフラッシュメモリ８に記録されている画像を先方向の順で順次読み出し、−キーであれば、ステップＳ２２でフラッシュメモリ８に記録されている画像を逆方向の順で順次読み出す。
【００３０】
そしてステップＳ２３で、画像に対応するヘッダ部の撮影モード情報が単写撮影モードに設定されているときは、ステップＳ２４で、フラッシュメモリ８に記録されている画像を１面づつ順番にＬＣＤ１８にて再生する。上記ステップＳ２３で、撮影モード情報が連写撮影モードに設定されているときは、ステップＳ２５で、フラッシュメモリ８に記録されているその画像グループの９（ｉ）枚の画像を画面の左上から右下に向かって順番に計９（ｉ）面、ＬＣＤ１８にマルチ表示で再生する。
【００３１】
以上のように本第１の実施の形態では、当該デジタルカメラの記録モードを単写撮影モードと連写撮影モードの二つの設定モードとしている。そして、連写撮影モードの場合、ＬＣＤ１８からなるビューファインダのビデオスルー画面をマルチ画面表示にすることで、以降記録される連写画像がどのように撮影されたものであるかを、撮影者が直感的に知ることができる。また再生時にも、連写撮影モードであれば、記録された複数の画像からなる連写画像グループが自動的にマルチ画面表示されるので、例えば被写者のゴルフスイングのフォームを連写撮影することで、前記被写者のスイングフォームを連続的な画像として一目で見ることができ、フォームのチェック等を行なうことができる。
【００３２】
（第２の実施の形態）
上記第１の実施の形態で述べた連写撮影モードでフラッシュメモリ８に記録された画像を消去する場合、その画像グループの中のいずれか一枚をキー入力部１０の図示しない消去キーを操作することで消去すれば、前記画像グループ内の全ての画像が消去されるようにする。なお、このときフラッシュメモリ８に記憶されている前記画像グループに関する画像情報も消去される。このように、連写撮影モードで記録された画像を一括して消去できるようにすることで、各画像毎に消去動作を繰り返す必要がなくなる。
【００３３】
（第３の実施の形態）
上記第１の実施の形態で述べた連写撮影モードでは、ＬＣＤ１８に表示した画像全てを取り込んだが、シャッターを押下するとＬＣＤ１８にマルチ画像で画像が表示されると同時に選択状態となり、この選択状態で必要な画像を選択してもう一度シャッターを押下すると選択した画像が連写画像として記録されるようにすることで、必要の無い画像を記録することなく撮影者の求める画像のみを記録することができる。なお、この選択で１枚しか選択されない場合は、連写撮影モードでも単写画像として記録されるようにしてもよい。
【００３４】
なお、本発明は上記各実施の形態のみに限定されず、要旨を変更しない範囲で適時変形して実施できる。
（実施の形態のまとめ）
実施の形態に示された構成及び作用効果をまとめると次の通りである。
［１］実施の形態に示されたデジタルカメラは、単写撮影または連写撮影のいずれかを行なうよう設定する設定手段（１０）と、この設定手段（１０）にて連写撮影を行なうよう設定された場合、連続的に撮影された所定数の画像を一つの画面上に配列して表示する表示手段（１８）と、所定操作がなされた際、前記表示手段（１８）にて表示された前記所定数の画像のうち複数枚数の画像を連続的に記録する記録手段（１４）と、から構成されている。
【００３５】
このように上記デジタルカメラにおいては、単写撮影または連写撮影のいずれかを行なうよう設定し、連写撮影を行なうよう設定された場合、連続的に撮影された所定数の画像を一つの画面上に配列して表示し、所定操作がなされた際、前記所定数の画像のうち複数枚数の画像を連続的に記録するので、撮影者は連写撮影にて連続的に撮影された複数の画像を画面上で一度に見ることができるとともに、それらの画像を一つの操作で記録することが可能になる。
［２］実施の形態に示されたデジタルカメラは上記［１］に記載のカメラであって、かつ前記記録手段（１４）は、前記複数枚数の画像を一つのグループとして記録する。
【００３６】
このように上記デジタルカメラにおいては、前記複数枚数の画像を一つのグループとして記録するので、連写撮影を行なう度に複数の画像をグループに分けて記録することができ、それらグループ毎の一括した処理が可能になる。
［３］実施の形態に示されたデジタルカメラは上記［２］に記載のカメラであって、かつ前記記録手段（１４）にて前記一つのグループとして記録された前記複数枚数の画像を前記一つの画面上に配列して再生表示する再生手段（１８）を備える。
【００３７】
このように上記デジタルカメラにおいては、前記一つのグループとして記録された前記複数枚数の画像を前記一つの画面上に配列して再生表示するので、撮影者は連写撮影にて連続的に撮影され記憶された複数の画像を画面上で一度に見ることができ、連写された画像の流れを知ることができる。
［４］実施の形態に示されたデジタルカメラは上記［２］または［３］に記載のカメラであって、かつ第２の所定操作がなされた際、前記記録手段（１４）にて前記一つのグループとして記録された前記複数枚数の画像を一括して消去する消去手段（１０）を備える。
【００３８】
このように上記デジタルカメラにおいては、第２の所定操作がなされた際、前記一つのグループとして記録された前記複数枚数の画像を一括して消去するので、一回の連写撮影で記録された複数の画像を一回の消去操作で全て消去することができる。よって、前記複数の画像を消去するために各画像毎の消去動作を繰り返す必要がなくなる。
【００３９】
【発明の効果】
本発明によれば、記録する画像が容易に確認できるように連続撮影を行なうデジタルカメラを提供できる。
【図面の簡単な説明】
【図１】本発明の実施の形態に係るデジタルカメラの構成を示すブロック図。
【図２】本発明の実施の形態に係るデジタルカメラの記録動作手順を示すフローチャート。
【図３】本発明の実施の形態に係るデジタルカメラの記録動作手順を示すフローチャート。
【図４】本発明の実施の形態に係るデジタルカメラの連写撮影モード時の表示画面を示す図。
【図５】本発明の実施の形態に係るデジタルカメラのフラッシュメモリのヘッダ部の構成を示す図。
【図６】本発明の実施の形態に係るデジタルカメラの再生動作手順を示すフローチャート。
【符号の説明】
１…ＣＣＤ
２…バッファ
３…Ａ／Ｄ変換部
４…ＴＧ（Ｔｉｍｉｎｇ  Ｇｅｎｅｒａｔｅｒ）
５…駆動回路
６…ＤＲＡＭ
７…圧縮／伸長部
８…フラッシュメモリ（画像メモリ）
９…ＣＰＵ
１０…キー入力部
１１…ＲＯＭ
１２…ＲＡＭ
１３…ＳＧ（Ｓｉｇｎａｌ  Ｇｅｎｅｒａｔｅｒ：ビデオ信号発生器）
１４…ＶＲＡＭ（ビデオＲＡＭ）
１５…Ｄ／Ａ変換器
１６…バッファ
１７…出力端子（ＶＩＤＥＯ  ＯＵＴ）
１８…ＬＣＤ（液晶表示器）
１９…Ｉ／Ｏポート
２０…シリアルＩ／Ｏ
【図１】
0004225434.tif 000002
【図２】
0004225434.tif 000003
【図３】
0004225434.tif 000004
【図４】
0004225434.tif 000005
【図５】
0004225434.tif 000006
【図６】
0004225434.tif 000007